(57)【要約】【課題】水や美容液などの液体を微粒化したミストを毛髪や頭皮に効果的に供給可能な髪ケア送風装置を提供する。【解決手段】髪ケア送風装置が、一端側に吸気口、他端側に送風口をそれぞれ設けた筐体と、筐体に取り付けられた把持部と筐体内に、筐体との間に吸気口から吸気された空気が通る空気通路を形成させて同軸上に内装され、吸気口から吸気された空気の一部が流入する空気流入路を有する空気内筒と、筐体の吸気口と内筒の空気流入路の入り口間に同軸上に配置されたファンと、内筒の空気流入路の入口内に配置された噴霧装置と、噴霧装置の噴霧口の前方にイオン放出部を位置させて筐体に配置されたイオン発生器と、筐体と内筒間の空気通路間に配置された電熱ヒータを備える。【選択図】図１
2013236871.tif 000002
【特許請求の範囲】
【請求項１】
一端側に吸気口、他端側に送風口をそれぞれ設けた筐体と、
前記筐体に取り付けられた把持部と、
前記筐体内に、前記筐体との間に前記吸気口から吸気された空気が通る空気通路を形成させて同軸上に内装され、前記吸気口から吸気された空気の一部が流入する空気流入路を有する空気内筒と、
前記筐体の吸気口と前記内筒の空気流入路の入り口間に同軸上に配置されたファンと、
前記内筒の空気流入路の入口内に配置された噴霧装置と、
前記筐体と前記内筒間の空気通路間に配置された電熱ヒータと
を備えたことを特徴とする髪ケア送風装置。
【請求項２】
前記噴霧装置の噴霧口の前方にイオン放出部を配置させて、前記筐体内または把持部内に配置されたイオン発生器をさらに備えることを特徴とする請求項１に記載の髪ケア送風装置。
【請求項３】
前記噴霧装置は、
前記噴霧口が前記筐体の送風口に対向して配設され、液体を貯める貯液タンク部と、
前記貯液タンクから供給される液体をミスト化して前記噴霧口から放出させる超音波振動部と、
を備えることを特徴とする請求項１または２に記載の髪ケア送風装置。
【請求項４】
前記超音波振動部が、電力を供給されて振動する超音波振動子を微細孔が多数形成された金属板に張り合わせて形成した超音波振動ユニットを備えることを特徴とする請求項１ないし３のいずれか１項に記載の髪ケア送風装置。
【請求項５】
前記筐体の表面には前記液体を給液するための給液口が形成され、前記給液口と前記貯液タンク部とを接続する給液路をさらに備えることを特徴とする請求項１ないし４のいずれか１項に記載の髪ケア送風装置。
【請求項６】
前記筐体と前記内筒間の空気通路間に、前記内筒を囲むように前記電熱ヒータが複数配置されることを特徴とする請求項１ないし５のいずれか１項に記載の髪ケア送風装置。
【請求項７】
前記ファンの駆動部、電熱ヒータ、噴霧装置それぞれに電力を供給するための電源ケーブルが、前記把持部内を貫通して設けられることを特徴とする請求項１ないし６のいずれか１項に記載の髪ケア送風装置。
【発明の詳細な説明】
【技術分野】
【０００１】
本発明は、水や美容液などの液体を微粒化したミストを毛髪や頭皮に供給して美容処理を行うことが可能な髪ケア送風装置に関する。
【背景技術】
【０００２】
従来、この手の髪ケア送風装置としては、本体内の風路を濡れた毛髪を乾かす為の幅広の主風路と、高電圧が印加される電極や超音波振動子などを配置した幅狭の副風路の２通路に分岐させた構造のものが知られている（例えば、特許文献１参照）。
この髪ケア送風装置は、電極や超音波振動子などにより硝酸イオン等の有効成分を含む微小な水粒子を発生させ、これを副風路を通る送風に乗せて毛髪や頭皮に供給することで、毛髪や頭皮をケアするものである。
【先行技術文献】
【特許文献】
【０００３】
【特許文献１】特開２０１０−５１７８０号公報
【発明の概要】
【発明が解決しようとする課題】
【０００４】
しかしながら、上記の髪ケア送風装置では、主風路と副風路の送風口が互いに隣接して設けられる場合が多く、主風路からの送風を毛髪に吹き付けている場合に、有効成分を含む微小な水粒子を含む副風路からの送風が、使用者の意図しない部分に吹き付けられたり、単に外気中に放出されるだけになったりして、毛髪や頭皮に対して有効成分を含む微小な水粒子を効果的に供給できないことがあった。
本発明は、上記のような事情を考慮してなされたものであり、水や美容液などの液体を微粒化した水粒子を効果的に毛髪や頭皮に供給可能な髪ケア送風装置を提供することを目的とする。
【課題を解決するための手段】
【０００５】
本発明の実施形態の髪ケア送風装置は、一端側に吸気口、他端側に送風口をそれぞれ設けた筐体と、前記筐体に取り付けられた把持部と、前記筐体内に、前記筐体との間に前記吸気口から吸気された空気が通る空気通路を形成させて同軸上に内装され、前記吸気口から吸気された空気の一部が流入する空気流入路を有する空気内筒と、前記筐体の吸気口と前記内筒の空気流入路の入り口間に同軸上に配置されたファンと、前記内筒の空気流入路の入口内に配置された噴霧装置と、前記筐体と前記内筒間の空気通路間に配置された電熱ヒータとを備える。
【０００６】
実施形態の髪ケア送風装置は噴霧装置の噴霧口の前方にイオン放出部を位置させて、筐体または把持部に配置されたイオン発生器をさらに備えるが望ましい。噴霧装置は、噴霧口が筐体の送風口に対向して配設され、液体を貯める貯液タンク部と、貯液タンクから供給される液体をミスト化して前記噴霧口から放出させる超音波振動部とを備えることができる。超音波振動部は、電力を供給されて振動する超音波振動子を微細孔が多数形成された金属板に張り合わせて形成した超音波振動ユニットを備えることが望ましい。
【０００７】
筐体の表面には液体を給液するための給液口が形成され、給液口と貯液タンク部とを接続する給液路をさらに備えてもよい。筐体と内筒間の空気通路間に、内筒を囲むように電熱ヒータが複数配置されるようにしてもよい。ファンの駆動部、電熱ヒータ、噴霧装置それぞれに電力を供給するための電源ケーブルが、前記把持部内を貫通して設けられることもある。
【発明の効果】
【０００８】
本発明によれば、水や美容液などの液体を微粒化したミストを毛髪や頭皮に効果的に供給可能な髪ケア送風装置を提供することができる。
【図面の簡単な説明】
【０００９】
【図１】第１実施形態における髪ケア送風装置１の全体を示す一部断面図。
【図２】髪ケア送風装置１を正面から見た図。
【図３】髪ケア送風装置１の動作を示すフローチャート。
【図４】髪ケア送風装置２の全体を示す一部断面図。
【発明を実施するための形態】
【００１０】
以下、実施の形態を図面に基づき説明する。
［第１実施形態］
図１は、本発明の第１実施形態における髪ケア送風装置１の全体を示す一部断面図である。図２は、髪ケア送風装置１を正面から見た図である。
髪ケア送風装置１は、水や美容液などの液体を微粒化したミストを毛髪や頭皮に供給可能なヘアドライヤである。ただし、髪ケア送風装置１は、ドライヤには限定されず、例えば扇風機、空気清浄機、空調設備等であってもよい。
【００１１】
図１、２に示すように、髪ケア送風装置１は、全体として紡錘状をなす筒状の筐体である本体ケース１０、この本体ケース１０の下部に折畳み自在に延設された把持部であるグリップ部２０、グリップ部に内蔵され、コンデンサやヒータなどにより電源回路や昇圧回路などの種々の電気回路が形成される回路基板３０、商用電力を使用可能とするための電源コード４０を有している。なお、回路基板３０は、本体ケース１０に内蔵されることもある。
本体ケース１０の上方には、毛髪や頭皮の保湿やケアのための液体Ｌ（化粧液や水など）を本体ケース１０内に入れるための開口１１が設けられる。この開口１１には、液体Ｌの漏えいを防止するための蓋１０１が開閉自在に取り付けられる。
【００１２】
本体ケース１０の一端側には、空気吸入口１３が開口しており、この空気吸入口１３から本体ケース１０外の空気が本体ケース１０に取り込まれる。本体ケース１０の他端側には、空気放出口１５が開口しており、空気吸入口１３を介して取り込まれた空気はこの空気放出口１５から放出される。
本体ケース１０には、電動モータ１０２ａによって回転する送風ファン１０２ｂなどからなる送風部１０２、内筒１０４、ヒータ１０６、放電電極１０８、液体タンク１１０、これらと回路基板３０とを電気的に接続する為の図示はしない配線などが内蔵される。
【００１３】
送風部１０２は、圧縮比が１.１のファンまたは圧縮比が１.１〜２程度のブロアである。送風部１０２の構造は、特に限定されず、シロッコファン型、ターボファン型などを適宜使用してよい。送風部１０２は、送風ファン１０２ｂの駆動時に静穏性が高いものであることが望ましい。
送風部１０２は、空気吸入口１３の近傍に配置され、電動モータ１０２ａの駆動によって回転する送風ファン１０２ｂによって、空気吸入口１３から髪ケア送風装置１外の空気を吸入し、本体ケース１０内に放出する。
【００１４】
内筒１０４は、放電電極１０８及び液体タンク１１０を収容する機能を有する空気内筒である。内筒１０４は、送風部１０２の略同軸上に設けられている。内筒１０４は、この内筒１０４の外周面と本体ケース１０の内面との間に空気流路１０５が形成されるように、本体ケース１０の略中央部に設けられる。
内筒１０４の両端部である開口１０４a,１０４ｂは、それぞれ送風部１０２の及び空気放出口１５と対向する。
内筒１０４には、送風部１０２によって空気吸入口１３から本体ケース１０内に吸入された空気の一部が開口１０４ａから流れ込む。内筒１０４を通った空気は、開口１０４ｂから放出される。
【００１５】
開口１０４ｂから放出された空気は、結果的に、空気流路１０５を通った空気と合流し、空気放出口１５から使用者の頭髪などに吹き付けられる送風として放出される。なお、「空気流路１５を通った空気」とは、送風部１０２によって空気吸入口１３から本体ケース１０内に吸入された空気の一部を指し、内筒１０４を通る空気以外の空気である。
内筒１０４は、ヒータ１０６から放出された熱によって内筒１０４内部の空気が温められることを防止するために断熱性を備えることが望ましい。例えば、内筒１０４をプラスチックで形成し、外周部をシリカ、アルミナ、セミック繊維などを素材とする布でカバーしたり、内筒１０４を発泡ゴムやフェノール樹脂などの断熱性を備えるプラスチックで形成したりすることでヒータ１０６から放出された熱が、内筒１０４の空気を暖めることを防止することができる。内筒１０４内部の空気が温められることを防止することによって、後述する噴霧化ユニット１１３によって内筒１０４に噴霧された液体Ｌの蒸発を抑止することができる。
【００１６】
液体タンク１１０は、使用者の頭皮や毛髪を加湿するための液体Ｌを蓄え、この液体Ｌをミスト化して噴霧する噴霧装置である。液体タンク１１０は、内筒１０４の開口１０４ａ近傍に設置される。液体タンク１１０は、本体部１１１、給液管１１２、噴霧化ユニット１１３とから主に構成されている。
本体部１１１は、直方体状、立方体状、球状など種々の形状で形成された箱体であり、液体Ｌを貯留する機能を有する。本体部１１１の天井部には、液体Ｌが供給されるための開口１１１ａが設けられている。本体部１１１の開口１０４ｂ側の壁面の底部近傍には、噴霧化ユニット１１３が取り付けられるための開口１１１ｂが設けられている。本体部１１１は、内筒１０４及び送風部１０２の略同軸上に設けられている。
【００１７】
給液管１１２は、本体ケース１０の開口１１から供給された液体Ｌを本体部１１１内に導入するためのものである。給液管１１２は、内筒１０４の側壁を貫通し、開口１１１ｂと開口１１とを接続する。
噴霧化ユニット１１３は、超音波振動部として機能する。噴霧化ユニット１１３には、本体部１１１に貯えられた液体Ｌが、その液体Ｌの自重によって常時接触している。噴霧化ユニット１１３は、接触する液体Ｌを微細な液体にミスト化して、開口１０４ｂの方向に放出させる噴霧装置である。
噴霧化ユニット１１３は、図１に示すように、微粒化した孔が多数設けられたウェーハ状の金属メッシュ１１３ａの表面に、圧電セラミックス（ＰＺＴ）で形成された円環形状の超音波振動子１１３ｂが固着されたものである。
【００１８】
超音波振動子１１３ｂに電圧が供給されることにより、超音波振動子１１３ｂに圧電効果が発生し、機械的な変位を生じて、結果として超音波振動子１１３ｂと固着された金属メッシュ１１３ａが前後に引かれたり伸ばされたりする。
例えば、超音波振動子１１３ｂが１３０ｋＨｚの超音波周波数で前後に振動するように制御されると、金属メッシュ１１３ａの孔の両側に気圧差が生じて液体タンク１１０に貯えられた液体Ｌが微小にミスト化される。
ヒータ１０６は、ニクロム線などをコイル状に形成した発熱体であり、空気流路１０５を通る空気を温めるためのものである。図２に示すように、ヒータ１０６は、空気流路１０５及び内筒１０４の間に、内筒１０４を囲むように複数配置される。このように内筒１０４を囲むようにヒータ１０６を配置されることで、空気流路１０５を通る空気を万遍なく温めることができる。
【００１９】
一対の放電電極１０８はイオン放出部として機能する。一対の放電電極１０８は、図１に示すように内筒１０４内において、噴霧化ユニット１１３近傍に設けられる。放電電極１０８は、回路基板３０に形成された昇圧回路と接続されており、昇圧回路によって昇圧された電圧（高電圧）が印加される。この結果、放電電極１０８間で瞬間的な放電現象が起こる。ここでの放電電極１０８に対する電圧印加には、放電電極１０８間の放電の安定性を高めるためにパルス状の電圧を用いることが好適である。そして、この場合にはパルス幅を数十〜数百ｍｓ、周波数を数百〜数千Ｈｚ、パルス高さを−３〜−１０ｋＶ程度とすることが更に好適である。
【００２０】
高電圧を印加された放電電極１０８によって内筒１０４内の微粒化した液体Ｌの原子や分子が電子を得てマイナスに帯電し、所謂「マイナスイオンが生成された状態」となる。このように生成されたマイナスイオンによって、毛髪に対してツヤやハリを与えるトリートメント効果を期待できると言われている。
詳細には、超音波振動子１１３ｂの駆動によってミスト化され放出された液体Ｌが帯電することで、微粒化した水滴がプラスに帯電した毛髪に吸着しやすくなり、結果としても毛髪に対して効果的に加湿することを期待できる。この加湿の結果、剥がれたキューティクルを元に戻し、髪にハリ、ツヤを与え、指通りのよい、まとまりのある髪へと導くことができる。
【００２１】
なお、ここでは一対の放電電極１０８を配置する例を説明したが、この放電電極１０８に替えて、円柱状に形成された放電管（オゾン管）を内筒１０４内に配置しても良い。この放電管は、例えば石英ガラス製の管内に低圧水銀蒸気を封入したものである。
放電管に昇圧回路が発生させた電圧を印加すると、放電管の外部へ紫外線が放出される。この紫外線の作用により放電管の近傍にオゾン（Ｏ３）が生成される。この生成されたオゾンは、開口１５から放出され、開口１５近傍の毛髪に対してツヤやハリを与えるトリートメント効果を期待できる。
【００２２】
ここで生成されるオゾンの濃度は、０．１ｐｐｍ未満であることが望ましい。また、フケ、かゆみ、悪臭の原因となる雑菌を除去する消臭、殺菌効果を考慮した場合、例えば０．００４ｐｐｍ〜０．０６ｐｐｍ程度であることが望ましい。また、頭皮や頭髪への好適な美容効果を得ようする場合には、例えば０．０６ｐｐｍ〜０．０９ｐｐｍ程度の濃度でオゾンが生成されることが好ましい。
上記オゾンの生成と同時に、放電管から放出される紫外線が空気中を通過する時にマイナスイオンの生成も期待できる。この場合には上記したオゾン及びマイナスイオンによる、より高いトリートメント効果を期待できる。
【００２３】
グリップ部２０には、切替スイッチ２１と、超音波振動子駆動スイッチ２３、放電電極駆動スイッチ２５が設けられる。
切替スイッチ２１は、４段階程度の可動域を有するスライド式のスイッチである。切替スイッチ２１によって、髪ケア送風装置１の送風モードを制御することができる。詳細には、切替スイッチ２１の１段階目は「電源ＯＦＦモード」である。ここで、「電源ＯＦＦモード」とは、送風部１０２やヒータ１０６への電力供給がなされず、髪ケア送風装置１を使用しない状態を指す。
切替スイッチ２１の２段階目は「弱冷送風モード」である。「弱冷送風モード」とは送風部１０２の可動によって送風が行われ、かつヒータ１０６への電力供給はされない状態を指す。
【００２４】
切替スイッチ２１の３段階目は「強冷送風モード」である。「強冷送風モード」とは、送風部１０２の可動によって「弱冷送風モード」よりも強い送風が行われ、かつヒータ１０６への電力供給はされない状態を指す。
切替スイッチ２１の４段階目は「強温送風モード」である。「強冷送風モード」のときは、「弱冷送風モード」よりも送風ファン１０２ｂの回転数が多い。「強温送風モード」とは、送風部１０２の可動によって「弱冷送風モード」よりも強い送風が行われ、かつヒータ１０６への電力供給がされることによって「弱冷送風モード」などよりも暖かい風が送られる状態を指す。
切替スイッチ２１の５段階目として「弱温送風モード」を備えてもよい。「弱温送風モード」とは、送風部１０２の可動によって「弱冷送風モード」と同様の強さの送風が行われ、かつヒータ１０６への電力供給がされることによって「弱冷送風モード」などよりも暖かい風が送られる状態を指す。
【００２５】
超音波振動子駆動スイッチ２３及び放電電極駆動スイッチ２５は、それぞれ独立した押しボタン式のスイッチである。詳細には、使用者による超音波振動子駆動スイッチ２３の押下操作によって、超音波振動子１１３ｂへの電力供給がＯＮ・ＯＦＦされ、結果として液体Ｌの噴霧のＯＮ・ＯＦＦが制御される。超音波振動子駆動スイッチ２３のＯＮ操作によって、液体Ｌが噴霧される状態の髪ケア送風装置１をここでは「ミスト放出モード」と称す。
使用者による放電電極駆動スイッチ２５のＯＮ・ＯＦＦによって、放電電極１０８への電圧の印加がＯＮ・ＯＦＦされる。放電電極駆動スイッチ２５のＯＮ操作によって、放電電極１０８への電圧の印加がＯＮの状態の髪ケア送風装置１をここでは「マイナスイオン発生モード」と称す。なお、ここでは超音波振動子駆動スイッチ２３及び放電電極駆動スイッチ２５をそれぞれ独立するものとしたが、超音波振動子駆動スイッチ２３及び放電電極駆動スイッチ２５を一つの押しボタンスイッチで構成するようにしてもよい。この場合、超音波振動子１１３ｂの駆動がＯＮ状態にされた場合には、これに対応して、放電電極１０８への電圧の印加もＯＮ状態となる。
【００２６】
回路基板３０は、送風部１０２、ヒータ１０６、放電電極１０８、超音波振動子１１３ｂなどへの電力供給のＯＮ・ＯＦＦを制御するための制御部３１ａや昇圧回路である昇圧部３１ｂを備える。回路基板３０は、グリップ部２０内において、切替スイッチ２１、超音波振動子駆動スイッチ２３、放電電極駆動スイッチ２５と、導線２７によって接続されている。また、回路基板３０は、グリップ部２０内において、電源コード４０と接続されている。回路基板３０は、電源コード４０から入力される電力に基づいて、必要に応じて降圧・昇圧・ＡＤ/ＤＡ変換などの電気的な処理を行い、導線４２を介して電力を放電電極１０８、超音波振動子１１３ｂなどへ供給する。
【００２７】
以上のような構成を有する髪ケア送風装置１では、超音波振動子１１３ｂによって噴霧された液体が、送風部１０２の駆動によって内筒１０４内を通る風によって、開口１０４ｂから外（空気放出口１５近傍）へと運ばれ、この内筒１０４を通った送風と合流した空気流路１０５を通った送風とともに空気放出口１５外へと放出される。
【００２８】
（髪ケア送風装置１の動作）
次に、図３を参照して髪ケア送風装置１の動作を説明する。図３は、髪ケア送風装置１の動作を示すフローチャートである。
（１）送風開始（ステップＳ１０１、Ｓ１０２）
使用者による切替スイッチ２１の操作に対応して、制御部３１ａが送風部１０２の電動モータ１０２ａの回転数やヒータ１０６への電力の供給のＯＮ・ＯＦＦを制御することにより、任意のモードで送風が行われる。
【００２９】
（２）超音波振動子１１３ｂ駆動（ステップＳ１０３、Ｓ１０４）
使用者によって超音波振動子駆動スイッチ２３がＯＮ操作されている場合（ステップＳ１０３のＹｅｓ）、制御部３１ａが超音波振動子１１３ｂに電力を供給し、液体Ｌの噴霧が開始される（ステップＳ１０４）。この結果、髪ケア送風装置１が「ミスト放出モード」で動作する。超音波振動子駆動スイッチ２３がＯＦＦ状態の場合（ステップＳ１０３のＮｏ）には、液体Ｌの噴霧は行われない。
（３）放電電極１０８への電圧印加（ステップＳ１０５、Ｓ１０６）
使用者によって放電電極駆動スイッチ２５がＯＮ操作されている場合（ステップＳ１０５のＹｅｓ）、制御部３１ａが放電電極１０８に昇圧部３１ｂによって昇圧された電圧を印加（ステップＳ１０６）する。
【００３０】
この結果、髪ケア送風装置１が「マイナスイオン発生モード」で動作する。「マイナスイオン発生モード」による毛髪や頭皮のケアは、液体Ｌが噴霧される「ミスト放出モード」で髪ケア送風装置１が動作をしている場合に特にその効果的を期待できる。仮に髪ケア送風装置１が「ミスト放出モード」で動作していなかった場合（ステップＳ１０３のＮｏ）であっても、放電電極１０８の放電によって内筒１０４を通る空気に含まれる水分などを帯電させることが可能である。この場合には、帯電した水分が送風と共に毛髪や頭皮に供給されることによるケア効果が期待できる。また、放電電極１０８から飛び出した自由電子が毛髪や頭皮に供給されることによるケア効果も期待できる。
【００３１】
放電電極駆動スイッチ２５がＯＦＦ状態の場合（ステップＳ１０５のＮｏ）には、放電電極１０８への電圧の印加は行われない。
制御部３１ａは、使用者に操作された切替スイッチ２１によって「電源ＯＦＦモード」に設定されるまで上記の動作を継続する。
上記のような動作中に使用者がグリップ部２０を把持して、空気放出口１５から放出される風を毛髪や頭皮の任意の場所に吹き付けることによって、濡れた毛髪や頭皮などを乾かすことができる。さらに髪ケア送風装置１によれば、空気放出口１５から放出され、噴霧された液体を含む風によって濡れた毛髪や頭皮などを乾かしつつ毛髪や頭皮を加湿し、潤いを与えることができる。放電電極１０８の放電によってマイナスイオンが発生し、毛髪や頭皮の深層へと浸透し、皮膚細胞の水分及び栄養エキスの吸収を促す効果が期待できる。
【００３２】
髪ケア送風装置１によれば、超音波振動子１１３ｂの駆動によって噴霧された液体Ｌが空気放出口１５の中央部近傍から放出される。すなわち、空気放出口１５から放出された風を髪の毛に吹き付けた場合、この風があたっている箇所に微粒化した液体Ｌが供給されることになる。すなわち、微粒化した液体Ｌが含まれる風が、使用者の意図しない箇所に吹き付けられてしまうことがない。このため、微粒化した液体Ｌを効果的に毛髪や頭皮に供給することが可能となる。使用者は微粒化した液体Ｌが、どこから放出されるかを意識することなく頭髪や頭皮のケアを簡便に行うことができる。
【００３３】
髪ケア送風装置１によれば、内筒１０４及び液体タンク１１０が、送風部１０２の同軸上に設けられているので、微粒化した液体Ｌを送風部１０２による送風に効率よく乗せることが可能となり、微粒化した液体をより遠くまで飛ばすことが可能となる。
髪ケア送風装置１によれば、超音波振動子駆動スイッチ２３、放電電極駆動スイッチ２５がそれぞれ独立して設けられているので「ミスト放出モード」、「マイナスイオン発生モード」などの切替えをスムーズに行うことができる。
なお、髪ケア送風装置１では、液体Ｌをミスト化するために金属メッシュ１１３ａを備えたが、金属メッシュ１１３ａを備えずとも、超音波振動子１１３ｂの振動のみによっても液体Ｌをミスト化させることが可能である。ただし、金属メッシュ１１３ａを備えた場合と、金属メッシュ１１３ａを備えない場合では、微粒化した液体Ｌの発生量が異なり、金属メッシュ１１３ａを備えることによって、微粒化した液体Ｌを短時間により多く発生させることが可能となる。
【００３４】
髪ケア送風装置１は、超音波振動子１１３ｂや放電電極１０８への電力の供給や電圧の印加のための二次電池（例えば、リチウムイオン電池やキャパシタなど）で構成さるバッテリーを備えるようにしてもよい。この場合には、使用者はどこでも、いつもで液体Ｌによる保湿処理を毛髪や頭皮に対して行うことができる。
【００３５】
[変形例]
以上、髪ケア送風装置１について説明したが、本願発明はこれらに限定されず、様々な変形が可能である。例えば、図４に示す髪ケア送風装置２のように、本体部１１１の底面にヒータ１１１ｃを設け、本体部１１１内の液体Ｌを暖めるような構成とすることもできる。この場合、噴霧された暖かな液体Ｌによって、頭皮の毛穴が開きやすくなり、微細な液体Ｌが頭皮に浸透しやすくなり、頭皮のケアがより効果的となる。
また、上記した髪ケア送風装置１は、本体ケース１０の下部に折畳み自在に延設された把持部であるグリップ部２０を設けた形状であったが、本体ケース１０の末端部が把持部として機能する所謂ストレート型の形状であってもよい。この場合には、本体ケース１０の把持部とは反対側の末端部には、毛髪を梳くための櫛部を設けることもできる。
【符号の説明】
【００３６】
１，２…髪ケア送風装置、１０…本体ケース、１１…開口、１３…空気吸入口、１５…空気放出口、２０…グリップ部、２１…切替スイッチ、２３…超音波振動子駆動スイッチ、２５…放電電極駆動スイッチ、２７…導線、３０…回路基板、３１ａ…制御部、３１ｂ…昇圧部、４０…電源コード、４２…導線、１０１…蓋、１０２…送風部、１０２ａ…電動モータ、１０２ｂ…送風ファン、１０４…内筒、１０４ａ，１０４ｂ，１１１ａ，１１１ｂ…開口、１０５…空気流路、１０６…ヒータ、１０８…放電電極、１１０…液体タンク、１１１…本体部、１１１ｃ…ヒータ、１１２…給液管、１１３…噴霧化ユニット、１１３ａ…金属メッシュ、１１３ｂ…超音波振動子。
【図１】
2013236871.tif 000003
【図２】
2013236871.tif 000004
【図３】
2013236871.tif 000005
【図４】
2013236871.tif 000006